(57)【要約】【課題】操作リングを回転させる際にトルクを発生させることができるレンズ鏡筒等を簡易な構成で提供する。【解決手段】固定筒の外周部に嵌入された操作リングを回転させることによってレンズ移動又はアイリス調整を行うレンズ鏡筒において、前記操作リングには該操作リングとは別体の押圧用ピンが装着されており、前記押圧用ピンは、前記内周面から所定量突出し前記固定筒の外周面を押圧する先端部を備えており、前記押圧用ピンの先端部が前記固定筒の外周面を押圧することにより、前記操作リングを回転させる際にトルクを発生させることを特徴とするレンズ鏡筒。【選択図】  図２
2008003258.tif 000002
【特許請求の範囲】
【請求項１】
固定筒の外周部に嵌入された操作リングを回転させることによってレンズ移動又はアイリス調整を行うレンズ鏡筒において、
前記操作リングには該操作リングとは別体の押圧用ピンが装着されており、
前記押圧用ピンは、前記操作リングの内周面から所定量突出し前記固定筒の外周面を押圧する先端部を備えており、
前記押圧用ピンの先端部が前記固定筒の外周面を押圧することにより、前記操作リングを回転させる際にトルクを発生させることを特徴とするレンズ鏡筒。  
【請求項２】
前記押圧用ピンは、前記操作リングに固定されていることを特徴とする請求項１に記載のレンズ鏡筒。
【請求項３】
前記押圧用ピンは、その軸方向に移動可能に支持されており、
さらに、前記押圧用ピンをその先端部が前記内周面から突出する方向に付勢する弾性部材を備えることを特徴とする請求項１に記載のレンズ鏡筒。
【請求項４】
前記押圧用ピンと前記弾性部材とを収容する内部空間が形成されたツマミ本体と前記操作リングに固定された固定部とを備える操作ツマミをさらに備え、
前記固定部にはその先端面と前記ツマミ本体の内部空間とを連通する開口が形成されており、
前記押圧用ピンの先端部は、前記開口に挿入され前記固定部の先端面から所定量突出し前記固定筒の外周面を押圧することを特徴とする請求項３に記載のレンズ鏡筒。
【請求項５】
前記操作リングにはその外周面から内周面に貫通する開口が形成されており、
前記操作ツマミは前記固定部が前記操作リングの開口に螺合することにより前記操作リングに固定されることを特徴とする請求項４に記載のレンズ鏡筒。
【請求項６】
前記操作リングに形成された開口の内周面には、前記固定部を最後までねじ込んだときに、前記固定部の先端が前記固定筒の外周面に当接しない長さのネジ溝が形成されていることを特徴とする請求項５に記載のレンズ鏡筒。
【請求項７】
前記操作リングに形成された開口の内周面には、前記固定部を最後までねじ込んだときに、前記固定部の先端が前記固定筒の外周面に当接する長さのネジ溝が形成されていることを特徴とする請求項５に記載のレンズ鏡筒。
【請求項８】
前記トルクを調整するトルク調整手段をさらに備えることを特徴とする請求項３から７のいずれかに記載のレンズ鏡筒。
【請求項９】
前記ツマミ本体の内部空間上端面は開口されており、
前記トルク調整手段は、前記ツマミ本体の内部空間の内周面に螺合するネジ部材を含み、
前記ネジ部材のねじ込み量を調整することにより前記弾性部材を伸縮させ前記トルクを調整することを特徴とする請求項８に記載のレンズ鏡筒。
【請求項１０】
固定筒の外周部に嵌入された操作リングに装着され、該操作リングを回転させる際にトルクを発生させるためのトルク発生装置において、
押圧用ピンと、弾性部材と、前記押圧用ピンと前記弾性部材とを収容する内部空間が形成されたツマミ本体と前記操作リングに固定された固定部とを備える操作ツマミとを含み、
前記固定部にはその先端と前記ツマミ本体の内部空間とを連通する開口が形成されており、
前記押圧用ピンは、前記開口に挿入され前記固定部の先端から所定量突出し前記固定筒の外周面を押圧する先端部を備え、
前記弾性部材は、前記押圧用ピンをその先端部が前記固定部の先端から突出する方向に付勢することを特徴とする負荷トルク発生装置。
【請求項１１】
前記トルクを調整するトルク調整手段をさらに備えることを特徴とする請求項１０に記載の負荷トルク発生装置。
【請求項１２】
前記ツマミ本体の内部空間上端面は開口されており、
前記トルク調整手段は、前記ツマミ本体の内部空間の内周面に螺合するネジ部材を含み、
前記ネジ部材のねじ込み量を調整することにより前記弾性部材を伸縮させ前記トルクを調整することを特徴とする請求項１１に記載の負荷トルク発生装置。
【発明の詳細な説明】
【技術分野】
【０００１】
本発明はレンズ鏡筒に係り、特に操作リングを回転させることによって固定筒に嵌入されたレンズ枠を前後移動させてズーミングやフォーカシングを行うレンズ鏡筒に関する。
【背景技術】
【０００２】
固定筒の外周部に嵌入された操作リングを回転させることによって、固定筒の内周部に嵌入されたレンズ枠を前後移動させて、ズーミングやフォーカシングを行うレンズ鏡筒では、不用意に操作リングが回転しないようにするため、操作リングに抵抗を持たせるようにしている。従来、この操作リングに与える抵抗は、固定筒に嵌入させた操作リングを波板バネあるいはＯリングによって光軸方向に付勢し、操作リングを固定筒の外周面に形成された段部等に押圧させることにより与えている。
【０００３】
また、ズームリングの内周部（又は外周部）に半径方向に弾性変形する爪部を形成し、この爪部で固定筒の外周面（又はカム筒の内周面）を押圧することにより、操作リングに抵抗を与えることも提案されている（特許文献１、特許文献２）。
【特許文献１】特開２００１−９１８１１号
【特許文献２】特開２００１−９１８１２号
【発明の開示】
【発明が解決しようとする課題】
【０００４】
しかしながら、従来のように波板バネあるいはＯリング等を用いて操作リングに抵抗を与えることとすると、レンズ鏡筒が大型化するという欠点がある。また、特許文献１、特許文献２に記載のように爪部を設けることとすると、操作リング等の型構造が複雑になる、あるいは、隙間が増えることで鏡胴内部にゴミ等が侵入するという問題を生ずる。
【０００５】
本発明は、このような事情に鑑みてなされたものであり、操作リングを回転させる際にトルクを発生させることができるレンズ鏡筒等を簡易な構成で提供することを目的とする。
【課題を解決するための手段】
【０００６】
請求項１に記載の発明は、固定筒の外周部に嵌入された操作リングを回転させることによってレンズ移動又はアイリス調整を行うレンズ鏡筒において、前記操作リングには該操作リングとは別体の押圧用ピンが装着されており、前記押圧用ピンは、前記操作リングの内周面から所定量突出し前記固定筒の外周面を押圧する先端部を備えており、前記押圧用ピンの先端部が前記固定筒の外周面を押圧することにより、前記操作リングを回転させる際にトルクを発生させることを特徴とする。
【０００７】
請求項１に記載の発明によれば、操作リングに該操作リングとは別体の押圧用ピンを装着することにより、該押圧用ピンの先端部が固定筒の外周面を押圧する。すなわち、極めて簡易な構成で、操作リングを回転させる際にトルクを発生させることが可能となる。
【０００８】
請求項２に記載の発明は、請求項１に記載の発明において、前記押圧用ピンは、前記操作リングに固定されていることを特徴とする。
【０００９】
請求項２に記載の発明によれば、押圧用ピンは操作リングに固定されているので、操作リングを回転させる際のトルクを一定にすることが可能となる。
【００１０】
請求項３に記載の発明は、請求項１に記載の発明において、前記押圧用ピンは、その軸方向に移動可能に支持されており、さらに、前記押圧用ピンをその先端部が前記内周面から突出する方向に付勢する弾性部材を備えることを特徴とする。
【００１１】
請求項３に記載の発明によれば、押圧用ピンはその軸方向に移動可能に支持されており弾性部材により付勢されているので、操作リングを回転させる際のトルクをより強くすることが可能となる。
【００１２】
請求項４に記載の発明は、請求項３に記載の発明において、前記押圧用ピンと前記弾性部材とを収容する内部空間が形成されたツマミ本体と前記操作リングに固定された固定部とを備える操作ツマミをさらに備え、前記固定部にはその先端面と前記ツマミ本体の内部空間とを連通する開口が形成されており、前記押圧用ピンの先端部は、前記開口に挿入され前記固定部の先端面から所定量突出し前記固定筒の外周面を押圧することを特徴とする。
【００１３】
請求項４に記載の発明によれば、操作リングに該操作リングとは別体の操作ツマミを装着することにより、該操作ツマミの押圧用ピンの先端部が固定筒の外周面を押圧する。すなわち、極めて簡易な構成で、操作リングを回転させる際にトルクを発生させることが可能となる。
【００１４】
請求項５に記載の発明は、請求項４に記載の発明において、前記操作リングにはその外周面から内周面に貫通する開口が形成されており、前記操作ツマミは前記固定部が前記操作リングの開口に螺合することにより前記操作リングに固定されることを特徴とする。
【００１５】
請求項５に記載の発明によれば、操作リングに形成された開口に該操作リングとは別体の操作ツマミを螺合することにより、該操作ツマミの押圧用ピンの先端部が固定筒の外周面を押圧する。すなわち、極めて容易に操作ツマミを装着することが可能となるとともに、極めて簡易な構成で、操作リングを回転させる際にトルクを発生させることが可能となる。また、操作リングと操作ツマミとは別体であり、操作ツマミを後から操作リングに装着する構成であるため、操作リング等の型構造が複雑になることがない。また、レンズ鏡胴を小型化することが可能となる。さらに、操作ツマミは操作リングの開口に装着され該開口を閉塞するので、該開口から鏡胴内部にゴミ等が入り込むことがない。
【００１６】
請求項６に記載の発明は、請求項５に記載の発明において、前記操作リングに形成された開口の内周面には、前記固定部を最後までねじ込んだときに、前記固定部の先端が前記固定筒の外周面に当接しない長さのネジ溝が形成されていることを特徴とする。
【００１７】
請求項６に記載の発明によれば、操作ツマミを最後までねじ込むことで、操作リングを回転させる際にトルクが発生するようになったことを把握することが可能となる。
【００１８】
請求項７に記載の発明は、請求項５に記載の発明において、前記操作リングに形成された開口の内周面には、前記固定部を最後までねじ込んだときに、前記固定部の先端が前記固定筒の外周面に当接する長さのネジ溝が形成されていることを特徴とする。
【００１９】
請求項７に記載の発明によれば、操作ツマミを最後までねじ込むことで、操作リングの回転をロックしたことを把握することが可能となる。また、操作ツマミを途中までねじ込むことで、操作リングを回転させる際にトルクを発生させることが可能となる。
【００２０】
請求項８に記載の発明は、請求項３から７のいずれかに記載の発明において、前記トルクを調整するトルク調整手段をさらに備えることを特徴とする。
【００２１】
請求項８に記載の発明によれば、操作リングを回転させる際に発生するトルクを調整することが可能となる。
【００２２】
請求項９に記載の発明は、請求項８に記載の発明において、前記ツマミ本体の内部空間上端面は開口されており、前記トルク調整手段は、前記ツマミ本体の内部空間の内周面に螺合するネジ部材を含み、前記ネジ部材のねじ込み量を調整することにより前記弾性部材を伸縮させ前記トルクを調整することを特徴とする。
【００２３】
請求項９に記載の発明によれば、ネジ部材のねじ込み量を調整することにより弾性部材を伸縮させ、これにより、操作リングを回転させる際に発生するトルクを調整することが可能となる。
【００２４】
請求項１０に記載の発明は、固定筒の外周部に嵌入された操作リングに装着され、該操作リングを回転させる際にトルクを発生させるためのトルク発生装置において、押圧用ピンと、弾性部材と、前記押圧用ピンと前記弾性部材とを収容する内部空間が形成されたツマミ本体と前記操作リングに固定された固定部とを備える操作ツマミとを含み、前記固定部にはその先端と前記ツマミ本体の内部空間とを連通する開口が形成されており、前記押圧用ピンは、前記開口に挿入され前記固定部の先端から所定量突出し前記固定筒の外周面を押圧する先端部を備え、前記弾性部材は、前記押圧用ピンをその先端部が前記固定部の先端から突出する方向に付勢することを特徴とする。
【００２５】
請求項１０に記載の発明によれば、操作リングに該操作リングとは別体のトルク発生装置を装着することにより、該操作ツマミの押圧用ピンの先端部が固定筒の外周面を押圧する。すなわち、極めて簡易な構成で、操作リングを回転させる際にトルクを発生させることが可能となる。
【００２６】
請求項１１に記載の発明は、請求項１０に記載の発明において、前記トルクを調整するトルク調整手段をさらに備えることを特徴とする。
【００２７】
請求項１１に記載の発明によれば、操作リングを回転させる際に発生するトルクを調整することが可能となる。
【００２８】
請求項１２に記載の発明は、請求項１１に記載の発明において、前記ツマミ本体の内部空間上端面は開口されており、前記トルク調整手段は、前記ツマミ本体の内部空間の内周面に螺合するネジ部材を含み、前記ネジ部材のねじ込み量を調整することにより前記弾性部材を伸縮させ前記トルクを調整することを特徴とする。
【００２９】
ネジ部材のねじ込み量を調整することにより弾性部材を伸縮させ、これにより、操作リングを回転させる際に発生するトルクを調整することが可能となる。
【発明の効果】
【００３０】
本発明によれば、操作リングを回転させる際にトルクを発生させることができるレンズ鏡筒等を簡易な構成で提供することが可能となる。
【発明を実施するための最良の形態】
【００３１】
以下、本発明の一実施形態であるレンズ鏡筒について図面を参照しながら説明する。
【００３２】
図１は、本発明の一実施形態であるレンズ鏡筒１０を説明するための図である。
【００３３】
図１に示すように、レンズ鏡筒１０は、監視カメラ用のレンズ鏡筒であり、固定筒２０、フォーカスリング３０（本発明の操作リングに相当）、操作ツマミ４０（本発明のトルク発生装置に相当）、フォーカスレンズ５０、変倍レンズ６０、ズームリング７０、カメラ装置８０等を備えている。
【００３４】
固定筒２０の外周にはフォーカスリング３０が回動可能に嵌入されている。フォーカスリング３０の内周面には周方向に延びるカム溝３１が形成されており、このカム溝３１には、固定筒２０に形成された縦溝２１（光軸方向に延びる貫通穴。図中二つの縦溝を例示）を介して、フォーカスレンズ５０を保持するレンズ枠５１に設けられたピン５２（図中二つのピンを例示）が挿入されている。したがって、フォーカスリング３０を回転させると、フォーカスレンズ５０は縦溝２１に沿って（すなわち光軸方向に）前進又は後退する。
【００３５】
フォーカスリング３０は予め設定された角度θだけ回転されるように回転量が規制される。例えば、フォーカスリング３０に凸部（図示せず）を設け、フォーカスリング３０が一方向に回転されると、この凸部が係合部材（図示せず）に当接することでそれ以上その方向へ回転できないようにし、フォーカスリング３０が逆方向に回転されると、この凸部が係合部材に当接することでそれ以上その方向へ回転できないようにすることが考えられる。このようにフォーカスリング３０の回転量を規正することにより、フォーカスレンズ５０が光学的レンズストロークの一端（メカ端（ＭＯＤ））と他端（メカ端（ＩＮｆ））との間とを往復移動するようになっている。
【００３６】
フォーカスリング３０には、このフォーカスリング３０とは別体の操作ツマミ４０が装着される。図２に示すように、操作ツマミ４０は、略円筒形状のツマミ本体４１、このツマミ本体４１内部空間４１ａに収容される押圧用ピン４２、バネ４３（本発明の弾性部材に相当）、ツマミ本体４１よりも小径で略円筒形状の固定部４４、及びトルク調整ツマミ４５等を備えている。
【００３７】
フォーカスリング３０にはその外周面と内周面を貫通する開口３２が形成されている。この開口３２にツマミ本体４１下面に設けられた固定部４４を螺合させることにより、操作ツマミ４０はフォーカスリング３０に固定される。固定部４４にはその先端面４４ａとツマミ本体４１の内部空間４１ａとを連通する開口４４ｂが形成されている。この開口４４ｂには押圧用ピン４２が挿入されその先端部４２ａが固定部４４の先端面４４ａから所定量突出し固定筒２０の外周面を押圧する。
【００３８】
なお、フォーカスリング３０の外周面には、押圧用ピン４２の先端部４２ａが位置する溝２２（周方向に延びている）が形成されている。この溝２２を一定長さとすることで、フォーカスリング３０の回転量を規制することも可能である。なお、押圧用ピン４２の先端は固定筒２０外周面に点接触するように丸められている。これによりフォーカスリング３０を回転させる際の摺動性が向上している。
【００３９】
押圧用ピン４２の略中央には鍔部４２ｂが設けられており、この鍔部４２ｂとツマミ本体４１内部空間４１ａの上部内周面に螺合するトルク調整ツマミ４５との間にはバネ４３が設けられている。このバネ４３の作用により、押圧用ピン４２はその先端部４２ａが固定部４４の先端面４４ａから突出する方向に付勢されている。また、トルク調整ツマミ４５の螺合量を調節しバネ４３を伸縮させることにより、フォーカスリング３０を回転させる際のトルクを調整可能となっている。なお、ツマミ本体４１と固定部４４とは金属材料により一体的に形成し、押圧用ピン４２は滑動性のよい材料（プラスチック等）で形成することが考えられる。また、押圧用ピン４２の先端部４２ａだけを滑動性のよい材料（プラスチック等）で形成し、その他の部分を金属材料としても良い。
【００４０】
以上のように説明した操作ツマミ４０は、操作者がフォーカス調整をする際にフォーカスリングを回しやすいように手で持って操作するための部材として使用される。
【００４１】
その他、レンズ鏡筒１０は、変倍レンズ６０や変倍レンズ６０をその光軸方向に前進又は後退させるズームリング７０等、一般的なレンズ装置として機能するのに要求される構成も備えている。また、図１に示すように、このレンズ鏡筒１０には、カバーガラス８１で撮像面が覆われたＣＣＤ等の固体撮像素子８２を備えたカメラ装置８０が装着可能となっている。
【００４２】
次に、上記構成のレンズ鏡筒１０に操作ツマミ４０を装着する動作等について説明する。
【００４３】
まず、操作ツマミ４０のツマミ本体４１を把持し、その固定部４４をフォーカスリング３０の外周面側から開口３２に螺合させる。固定部４４を最後までねじ込むと、図３に示すように、固定部４４の先端面４４ａから所定量突出する押圧用ピン４２の先端部４２ａが固定筒２０の外周面を押圧する。すなわち、フォーカスリング３０の開口３２内周面には、固定部４４を最後までねじ込んだときに、固定部４４の先端面が固定筒２０の外周面に当接しない長さのネジ溝が形成されている。これにより、操作ツマミ４０を最後までねじ込むことで、トルクが発生するようになったことを把握することが可能となる。
【００４４】
押圧用ピン４２は、バネ４３の作用によりその先端部４２ａが固定部４４の先端面４４ａから突出する方向に付勢されているので、固定筒２０の外周面を一定の力で押圧する。
【００４５】
したがって、操作ツマミ４０のツマミ本体４１を把持し、フォーカスリング３０を一定の方向に回転させると、トルクが発生する。すなわち、操作ツマミ４０は、フォーカスリング３０を回転させる際にツマミとして機能するとともにトルクを発生させる機能を発揮する。なお、このトルクは、トルク調整ツマミ４５の螺合量を調節しバネ４３を伸縮させることにより、増減調整可能となっている。
【００４６】
以上説明したように、本実施形態のレンズ鏡筒１０によれば、フォーカスリング３０に形成された開口３２に該フォーカスリング３０とは別体の操作ツマミ４０を螺合することにより、該操作ツマミ４０の押圧用ピン４２の先端部４２ａが固定筒２０の外周面を押圧する。すなわち、極めて容易に操作ツマミ４０を装着することが可能となるとともに、極めて簡易な構成で、フォーカスリング３０を回転させる際にトルクを発生させることが可能となる。
【００４７】
また、フォーカスリング３０と操作ツマミ４０とは別体であり、操作ツマミ４０を後からフォーカスリング３０に装着する構成であるため、フォーカスリング３０等の型構造が複雑になることがない。また、レンズ鏡筒１０を小型化することが可能となる。さらに、操作ツマミ４０はフォーカスリング３０の開口３２に装着され該開口３２を閉塞するので、該開口３２から鏡筒１０内部にゴミ等が入り込むことがない。
【００４８】
次に、変形例について説明する。
【００４９】
上記実施形態では、固定部４４を最後までねじ込むと、図３に示すように、固定部４４の先端面４４ａから所定量突出する押圧用ピン４２の先端部４２ａが固定筒２０の外周面を押圧する。すなわち、フォーカスリング３０の開口３２内周面には、固定部４４を最後までねじ込んだときに、固定部４４の先端面が固定筒２０の外周面に当接しない長さのネジ溝が形成されているように説明したが、本発明はこれに限定されない。
【００５０】
例えば、固定部４４を最後までねじ込むと、図４に示すように、固定部４４の先端面４４ａが固定筒２０の外周面を押圧しフォーカスリング３０の回転をロックするようにしてもよい。すなわち、フォーカスリング３０の開口３２内周面には、固定部４４を最後までねじ込んだときに、固定部４４の先端面が固定筒２０の外周面に当接する長さの溝を形成してもよい。このようにすれば、操作ツマミ４０を最後までねじ込むことで、フォーカスリングの回転をロックしたことを把握することが可能となる。また、操作ツマミ４０を途中までねじ込むことで、フォーカスリングを回転させる際にトルクを発生させることが可能となる。
【００５１】
また、上記実施形態では、操作ツマミ４０の固定部４４はフォーカスリング３０の開口３２に螺合されるように説明したが、本発明はこれに限定されない。
【００５２】
例えば、操作ツマミ４０の固定部４４はフォーカスリング３０の開口３２に接着剤等の他の手段で固定してもよい。
【００５３】
また、上記実施形態では、押圧用ピン４２とバネ４３とは別体であるように説明したが、本発明はこれに限定されない。
【００５４】
例えば、図５に示すように、押圧用ピン４２とバネ４３をプラスチック等で一体的に形成してもよい。このようにすれば部品点数を削減できる。
【００５５】
また、上記実施形態では、トルク調整ツマミ４５を備えており、このトルク調整ツマミ４５の螺合量を調節しバネ４３を伸縮させることにより、フォーカスリング３０を回転させる際のトルクを調整可能となっているように説明したが、本発明はこれに限定されない。
【００５６】
例えば、トルク調整を行わないのであれば、図６に示すように、トルク調整ツマミ４５を省略してもよい。この場合、ツマミ本体４１の上面を閉塞する。このようにすれば、部品点数を削減できる。
【００５７】
また、上記実施形態では、操作ツマミ４０により、フォーカスリング３０を回転させる際にトルクを発生させるように説明したが、本発明はこれに限定されない。
【００５８】
例えば、図７に示すように、押圧用ピン４２のみをフォーカスリング３０の開口３２に螺合させ、その押圧用ピン４２の先端部４２ａが固定筒２０の外周面を押圧するようにしてもよい。これによっても、フォーカスリング３０を回転させる際にトルクを発生させることができる。なお、押圧用ピン４２はフォーカスリング３０の開口３２に接着剤等の他の手段で固定してもよい。このようにすれば、フォーカスリング３０を回転させる際のトルクを一定にすることが可能となる。
【００５９】
また、上記実施形態では、本発明の操作リングがフォーカスリング３０であるように説明したが、本発明はこれに限定されない。例えば、操作リングはズームリング７０やアイリスリング等のリングであってもよい。
【００６０】
また、上記実施形態では、トルク調整とフォーカスリング３０のロックとを一つの操作ツマミ４０により行うように説明したが本発明はこれに限定されない。例えば、トルク調整については操作ツマミ４０により行い、フォーカスリング３０のロックについては別の操作ツマミ４０（あるいはこれと同等の構成のもの）によって行うようにしてもよい。
【００６１】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００６２】
【図１】本発明の一実施形態であるレンズ鏡筒の構成を説明するための図である。
【図２】主として操作ツマミ４０の構成を説明するための斜視図である。
【図３】操作ツマミ４０によるトルク発生を説明するための図である。
【図４】操作ツマミ４０によるロックを説明するための図である。
【図５】変形例を説明するための図である。
【図６】変形例を説明するための図である。
【図７】変形例を説明するための図である。
【符号の説明】
【００６３】
１０…レンズ鏡筒、２０…固定筒、２１…縦溝、３０…フォーカスリング、３１…カム溝、４０…操作ツマミ、５０…フォーカスレンズ、６０…変倍レンズ、７０…ズームリング、８０…カメラ装置
【図１】
2008003258.tif 000003
【図２】
2008003258.tif 000004
【図３】
2008003258.tif 000005
【図４】
2008003258.tif 000006
【図５】
2008003258.tif 000007
【図６】
2008003258.tif 000008
【図７】
2008003258.tif 000009